(57)【要約】    【課題】      メモリを増やさずに、撮影中にポスト処理を施したポストビュー画像を高品質なレベルで表示すること。    【解決手段】  表示出力制御部１０３は、入力・表示出力兼用メモリ１０２からの表示出力を制御し、表示タイミングの判断や入力・表示出力兼用メモリ１０２からの読み出しバンクの判断を行う。表示タイミング制御部１０５は、入力バンクの切り替わりタイミングを判断し、バンクの切り替えタイミングを制御する。符号化タイミング制御部１０６は、入力制御部１０１より入力完了タイミングを受け、実際の符号化開始タイミングを判断し、符号化制御部１０７へ開始タイミングを指示する。ポスト処理制御部１１０は、符号化用メモリ１０９に格納されている再構成画像を読み出し、ノイズリダクション等のポスト処理を行い、入力・表示出力兼用メモリ１０２の表示出力待ちのバンクに対して書き込みを行う。  【選択図】      図１
2006140565.tif 000002
【特許請求の範囲】
【請求項１】
撮像した画像データを一旦保存するメモリと、
前記メモリに保存されている前記画像データを符号化する符号化手段と、
前記符号化手段にて符号化された画像データにポスト処理を施して前記メモリに書き戻すように制御するポスト処理制御手段と、
前記メモリに書き戻された前記ポスト処理を施された画像データを表示するタイミングを制御する表示タイミング制御手段と、
を具備することを特徴とする画像表示装置。
【請求項２】
前記表示タイミング制御手段は、前記メモリに保存されて表示出力待ちの前記画像データが前記ポスト処理を施されて前記メモリに書き戻された後の所定のタイミングにて、前記表示出力待ちの前記画像データの画像と前記メモリに書き戻された前記画像データの画像とが表示されるように制御することを特徴とする請求項１記載の画像表示装置。
【請求項３】
前記ポスト処理制御手段にてポスト処理を施された前記画像データを前記メモリに書き戻す場合と前記メモリに書き戻さない場合とを選択して切り替えるポスト処理出力制御手段を具備し、
前記表示タイミング制御手段は、前記ポスト処理出力制御手段にて前記画像データを前記メモリに書き戻すことが選択された場合には前記表示出力待ちの前記画像データの画像と前記メモリに書き戻された前記画像データの画像とが表示されるように制御し、前記ポスト処理出力制御手段にて前記画像データを前記メモリに書き戻さないことが選択された場合には前記表示出力待ちの前記画像データの画像が表示されるように制御することを特徴とする請求項１記載の画像表示装置。
【請求項４】
前記ポスト処理制御手段にてポスト処理を施された前記画像データを前記メモリの全面に書き戻す場合と前記メモリの一部に書き戻す場合とを選択して切り替えるポスト処理出力制御手段を具備し、
前記表示タイミング制御手段は、前記ポスト処理出力制御手段にて前記画像データを前記メモリの全面に書き戻すことが選択された場合には前記メモリに書き戻された前記画像データの画像が表示されるように制御し、前記ポスト処理出力制御手段にて前記画像データを前記メモリの一部に書き戻すことが選択された場合には前記表示出力待ちの前記画像データの画像と前記メモリに書き戻された前記画像データの画像とが表示されるように制御することを特徴とする請求項１記載の画像表示装置。
【請求項５】
前記表示タイミング制御手段は、前記表示出力待ちの前記画像データの画像と前記メモリに書き戻された前記画像データの画像とが同時に見られるようにタイミングを制御することを特徴とする請求項１から請求項４のいずれかに記載の画像表示装置。
【請求項６】
請求項１から請求項５のいずれかに記載の画像表示装置を具備することを特徴とする通信装置。
【請求項７】
撮像した画像データを一旦メモリに保存するステップと、
前記メモリに保存されている前記画像データを符号化するステップと、
符号化された画像データにポスト処理を施して前記メモリに書き戻すように制御するステップと、
前記メモリに書き戻された前記ポスト処理を施された画像データを表示するタイミングを制御するステップと、
を具備することを特徴とする画像表示方法。
【請求項８】
撮像した画像データを一旦メモリに保存する手順と、
前記メモリに保存されている前記画像データを符号化する手順と、
符号化された画像データにポスト処理を施して前記メモリに書き戻すように制御する手順と、
前記メモリに書き戻された前記ポスト処理を施された画像データを表示するタイミングを制御する手順と、
をコンピュータに実行させることを特徴とする画像表示用プログラム。
【発明の詳細な説明】
【技術分野】
【０００１】
本発明は、画像表示装置、通信装置、画像表示方法及び画像表示用プログラムに関し、例えば、撮影中の動画のポストビュー画像を、リアルタイムで高画質に表示する画像表示装置、通信装置、画像表示方法及び画像表示用プログラムに関する。
【背景技術】
【０００２】
従来より、国際標準化機構（ＩＳＯ）、国際電気標準会議（ＩＥＣ）及び国際電気通信標準化部門（ＩＴＵ−Ｔ）によって勧告されているＭＰＥＧ等の動画像の符号化方式を用いた装置が市場に多く流通している。デジタルビデオカメラやカメラつき携帯電話装置などにおいても例外ではなく、これらの符号化を用いた動画の撮影機能を具備したものが多い。
【０００３】
非可逆符号化方式であるため、たとえ高画質なモードで撮影しても画質の劣化は確実に発生し、ポストビュー画像（圧縮後のデータを復号して表示する画像）を撮影中にリアルタイムで表示できない装置の場合は、撮影が完了しないと記録画質の確認ができない。従って、撮影中のポストビュー表示が可能であれば、ユーザに対して大きなメリットがあり、例えば、撮影を中断することなくユーザが画質の変更・調整を行うことができる機能も実現できる。
【０００４】
従来、撮影中にポストビュー画像をリアルタイムに表示可能なものが知られている（例えば、特許文献１）。この場合、符号化時に使用する再構成画像（ローカルデコード画像）をポストビュー画像として表示している。再構成画像は、フレーム間差分を利用した符号化を行う場合に必要であり、デコード画像とのミスマッチを生じさせないようにエンコーダ自身が一旦デコード画像を作成し、再構成画像と現在の画像の差分を計算しながら符号化を行う。従って、エンコーダが使用する再構成画像は、デコード画像と等しく、これをポストビュー画像として用いることができる。
【０００５】
図７は、上記従来技術を簡略して図示したものである。入力デバイスであるカメラ７０１から画像データを入力制御部７０２を介してエンコーダ７０３に取り込みエンコードし、記録媒体７０４に記録する構成となっている。そして、プレビュー（カメラスルー画像）又はポストビュー画像（エンコーダの再構成画像）をスイッチ７０５で選択し、出力制御部７０６を介して表示デバイス７０７に出力するように構成されている。
【０００６】
また、従来の動画の記録装置は、圧縮動画データの再生時のデコード画像は劣化してブロック状のノイズが表れやすく、一般的にはノイズリダクションフィルター等により、画像を表示する前にノイズ軽減のためにポスト処理と呼ばれる処理を行う場合が多い。したがって、撮影中のポストビューもできる限り通常の再生時のようにポスト処理を行ったものを表示できる方が望ましい。
【特許文献１】特開２００１−２４９１９号公報
【発明の開示】
【発明が解決しようとする課題】
【０００７】
しかしながら、従来の装置においては、上記に説明した通りポスト処理を行ったものを表示できる方が望ましいにも関わらず、ポスト処理を行っていない画像しか出力できないという問題がある。また、従来の装置においては、ポスト処理を行うためには、更に処理結果を格納するためのメモリが必要となり、コスト増加や装置の大型化を招いてしまうという問題がある。
【０００８】
本発明はかかる点に鑑みてなされたものであり、メモリを増やさずに、撮影中にポスト処理を施したポストビュー画像を高品質なレベルで表示することができる画像表示装置、通信装置、画像表示方法及び画像表示用プログラムを提供することを目的とする。
【課題を解決するための手段】
【０００９】
本発明の画像表示装置は、撮像した画像データを一旦保存するメモリと、前記メモリに保存されている前記画像データを符号化する符号化手段と、前記符号化手段にて符号化された画像データにポスト処理を施して前記メモリに書き戻すように制御するポスト処理制御手段と、前記メモリに書き戻された前記ポスト処理を施された画像データを表示するタイミングを制御する表示タイミング制御手段と、を具備する構成を採る。
【００１０】
本発明の画像表示方法は、撮像した画像データを一旦メモリに保存するステップと、前記メモリに保存されている前記画像データを符号化するステップと、符号化された画像データにポスト処理を施して前記メモリに書き戻すように制御するステップと、前記メモリに書き戻された前記ポスト処理を施された画像データを表示するタイミングを制御するステップと、を具備するようにした。
【００１１】
本発明の画像表示用プログラムは、撮像した画像データを一旦メモリに保存する手順と、前記メモリに保存されている前記画像データを符号化する手順と、符号化された画像データにポスト処理を施して前記メモリに書き戻すように制御する手順と、前記メモリに書き戻された前記ポスト処理を施された画像データを表示するタイミングを制御する手順と、をコンピュータに実行させるようにした。
【発明の効果】
【００１２】
本発明によれば、メモリを増やさずに、撮影中にポスト処理を施したポストビュー画像を高品質なレベルで表示することができる。
【発明を実施するための最良の形態】
【００１３】
以下に、本発明の実施の形態について、図面を参照して詳細に説明する。
【００１４】
（実施の形態１）
図１は、本発明の実施の形態１に係る画像表示装置１１１の構成を示すブロック図である。
【００１５】
図１において、入力デバイス１００は、カメラ等の撮像装置であり、入力制御部１０１は、入力デバイス１００からの画像取り込みを制御し、入力デバイス１００からの画像取り込みタイミングの判断や入力・表示出力兼用メモリ１０２の実際に格納されるバンクの決定を行う。入力・表示出力兼用メモリ１０２は、３バンクから構成され、入力バッファと表示デバイスへの表示出力バッファとして使用される。入力デバイス１００からの入力と表示デバイス１０４への出力タイミングは非同期を想定しているため、本実施の形態においては、バンクの切り替えによる画像の乱れを防ぐために、３バンク（入力中バンク、出力中バンク、出力待ちバンク）を用意している。
【００１６】
表示出力制御部１０３は、例えば、ＬＣＤ等の表示デバイス１０４に対して、入力・表示出力兼用メモリ１０２からの表示出力を制御し、表示タイミングの判断や入力・表示出力兼用メモリ１０２からの読み出しバンクの判断を行う。また、表示デバイス１０４に応じて色変換（ＹＵＶ−ＲＧＢ変換等）や増色・減色処理、Ｄ／Ａ変換処理等を行ってもよい。
【００１７】
表示タイミング制御部１０５は、入力バンクの切り替わりタイミングを判断し、バンクの切り替えタイミングを制御する。符号化及びポスト処理に充分な時間を確保するために、表示開始タイミングを遅延させる。即ち、表示タイミング制御部１０５は、ポスト処理を施された画像データを表示するタイミングを制御する。なお、詳細は後述する。
【００１８】
符号化タイミング制御部１０６は、入力制御部１０１より入力完了タイミングを受け、実際の符号化開始タイミングを判断し、符号化制御部１０７へ開始タイミングを指示する。
【００１９】
符号化制御部１０７は、入力・表示出力兼用メモリ１０２に格納された画像データを、ＭＰＥＧ等のフレーム間差分を使用して符号化する方式を用いて符号化を行う。符号化データ（ビットストリーム）は、記録媒体１０８に蓄積される。記録媒体１０８の種類は特に問わず、又、メモリバッファを介して記録媒体１０８に書き込むように構成してもよい。符号化の際に生成される再構成画像（次のフレームの予測参照画像となる）は、符号化用メモリ１０９に格納される。符号化用メモリ１０９には、各フレーム毎に再構成画像と予測参照画像とが必要となるので、本実施の形態では２バンク設けられる。
【００２０】
ポスト処理制御部１１０は、符号化用メモリ１０９に格納されている再構成画像を読み出し、ノイズリダクション等のポスト処理を行い、入力・表示出力兼用メモリ１０２の表示出力待ちのバンクに対して書き込みを行う。
【００２１】
次に、画像表示装置１１１の動作について図２を用いて説明する。図２は、画像表示装置１１１の動作を示す図である。
【００２２】
図２（Ａ）は、本発明の画像表示装置１１１の表示待ち時間を説明するための図である。
【００２３】
入力制御部１０１は、入力デバイス１００よりの入力画像を入力・表示出力兼用メモリ１０２へ取り込むように制御する。図２の２０１に示す期間が、入力デバイス１００からの１フレームの画像取り込み期間を示しており、例えばバンク１に取り込む。入力・表示出力兼用メモリ１０２は３バンク構成なので、順にバンク１、バンク２、バンク３、バンク１の順に取り込まれる。例えば、入力バンクが１から２に切り替わるタイミングにおいては、バンク３の画像が表示出力中の状態にあり、その後、バンク３の表示が完了したタイミングにおいては、すでに取り込みが完了しているバンク１の画像データの表示を行う。図２（Ａ）の２０２に示す期間は、バンク１に格納されている画像データの表示出力期間を示している。ここで、入力デバイス１００からバンク１への画像取り込みが完了してから実際に表示が可能になるまでに、期間２０３で示すような表示待ち時間が存在する。本発明のポイントは、この期間２０３において符号化とポスト処理とを行うことにある。
【００２４】
図２（Ｂ）は、期間２０３を長くした場合のタイミングを示し、表示タイミング制御部１０５は、入力制御部１０１より画像取り込み完了信号をもらい、バンク１の画像を出力開始するタイミングを任意の時間だけ遅延させるように表示出力制御部１０３に対して制御を行う。
【００２５】
従って、表示タイミング制御部１０５は、入力・表示出力兼用メモリ１０２の３つのバンクを、入力デバイスで撮像した第１フレームの画像データを一旦保存するための入力用領域と、第１フレームの直前の画像データを表示デバイスに出力するための出力用領域と、第１フレームの直後の第２フレームの画像データを取り込むための待機用領域とにそれぞれ割り当てると共に、１フレームの処理を完了すると、入力用領域のバンクを出力用領域に、待機用領域のバンクを入力用領域に、又、出力用領域のバンクを待機用領域に切り替えるように制御する。例えば、表示タイミング制御部１０５は、バンク１に格納されている表示出力待ちの画像データと、ポスト処理を施されてバンク１に書き戻された画像データとが表示されるようにタイミングを制御する。
【００２６】
図２（Ｃ）は、実施の形態１の全体のタイミングを示した図である。
【００２７】
図２（Ｃ）に示すように、バンク１の取り込みが完了次第、期間２０４において符号化を完了する。即ち、符号化タイミング制御部１０６が、符号化制御部１０７に対して符号化開始タイミングを通知し、バンク１に格納された画像の符号化処理を開始する。符号化で生成された再構成画像（次のフレームにおけるフレーム間符号化のための予測参照画像として使用）が、符号化用メモリ１０９のバンク１又はバンク２の再構成画像が格納されていないバンクに格納される。なお、符号化処理と同時に、次のフレームの画像取り込みがバンク２に対して行われ、又、同時に、バンク３に格納されている画像データが表示デバイス１０４に出力される。
【００２８】
符号化が完了すると、期間２０５において、ポスト処理制御部１１０によって符号化用メモリ１０９上の再構成画像に対してポスト処理を行い、入力・表示出力兼用メモリ１０２のバンク１へ書き戻す。又、ポスト処理と同時に、次のフレームの画像取り込みがバンク２に対して行われ、又、同時に、バンク３に格納されている画像データが表示デバイス１０４に出力される。
【００２９】
ポスト処理完了後、期間２０６において、表示出力制御部１０３が表示可能タイミングを待って、表示デバイス１０４への出力を行う。
【００３０】
次のフレーム（バンク２）以降も同様の処理を行う。従って、ポスト処理を施したポストビュー画像を、符号化（記録）しながら表示することが可能となる。
【００３１】
なお、実施の形態１では、符号化及びポスト処理を行う時間を確保するために、前もって表示タイミング制御部１０５が表示出力タイミングを遅延させるように構成したが、表示タイミング制御部１０５が、符号化処理及びポスト処理の完了後に、表示出力制御部１０３に対して表示出力の制御を行い、ポスト処理の完了後の最初の表示可能タイミングで表示出力を行うように構成してもよい。
【００３２】
また、符号化及びポスト処理に多くの時間を費やし、表示待ち時間２０３内に完了しない場合は、再度同一のバンクに画像を入力、同一のバンクから表示出力し、見た目に１フレームスキップさせるように制御することも可能である。
【００３３】
次に、画像表示装置１１１における画像表示方法について、図３を用いて説明する。図３は、画像表示方法を示すフロー図である。図３は、１フレームの処理フローとして示したものである。
【００３４】
先ず、入力デバイス１００からのバンク１への画像取り込みの完了タイミングを待ち、画像取り込みが完了すると（ステップＳＴ３０１）、入力・表示出力兼用メモリ１０２の予め割り当てられたバンク１以外の空きバンクに次のフレームの取り込みを開始する（ステップＳＴ３０２）。
【００３５】
バンク１への画像取り込みが完了したら、直ちに符号化処理を開始する（ステップＳＴ３０３）。符号化データは、記録媒体１０８に蓄積される一方、符号化用メモリ１０９を参照して予測参照画像からフレーム間予測符号化を行い、再構成画像を生成する。
【００３６】
符号化処理が完了したら、再構成画像に対してポスト処理を行う（ステップＳＴ３０４）。ポスト処理結果は、表示待ち状態のバンク１に格納される。この間、表示待ち状態のバンク１は表示出力を行わずに、ポスト処理の完了後に、表示開始タイミングを待って表示可能タイミングになったら（ステップＳＴ３０５）、期間２０６にて、バンク１に格納されているポスト処理画像を表示出力対象に切り替えることにより（ステップＳＴ３０６）、表示出力される。以降のフレームは、上記処理の繰り返しとなる。
【００３７】
又、実施の形態１の説明では、デジタルビデオカメラを想定して説明したが、例えば、ＴＶ電話端末装置の一部として構成することも可能であり、自局端末の送信画像のポストビュー画像表示装置として用いることも可能である。
【００３８】
このように、本実施の形態１によれば、メモリを増やさずに、撮影中にポスト処理を施したポストビュー画像を高品質なレベルで表示することができる。また、本実施の形態１によれば、ポストビュー画像を表示するので、通常の復号画像再生と同レベルの画質にて画像を表示することができる。また、本実施の形態１によれば、ポスト処理のために追加のメモリを必要としないので、低コストにすることができる。
【００３９】
（実施の形態２）
図４は、本発明の実施の形態２に係る画像表示装置４００の構成を示すブロック図である。本実施の形態２に係る画像表示装置４００は、図１に示す実施の形態１に係る画像表示装置１１１において、図４に示すように、ポスト処理出力制御部４０１を追加する。なお、図４においては、図１と同一構成である部分には同一の符号を付してその説明は省略する。
【００４０】
図４において、ポスト処理出力制御部４０１は、ポスト処理制御部１１０で処理されたポスト処理結果を入力・表示出力兼用メモリ１０２へ書き込む際に、書き込みを実際に行うか否かの選択や、入力・表示出力兼用メモリ１０２への書き込み位置や書き込みサイズ等を制御する。
【００４１】
なお、符号化処理が完了するまでの動作は、実施の形態１と同様なので省略する。
【００４２】
次に、図５にしたがって具体的な動作の説明を行う。図５は、ポストビュー画像の出力状態を示す図である。
【００４３】
図５（Ａ）は、ポスト処理出力制御部４０１が、ポスト処理した結果を出力しないように制御した例であり、符号化される前のプレビュー画像５０１を表示デバイス１０４上に表示した例を示した図である。この場合には、表示タイミング制御部１０５は、表示出力待ちの前記画像データの画像が表示されるように制御する。
【００４４】
又、図５（Ｂ）は、ポスト処理出力制御部４０１が、ポスト処理したポストビュー画像５０２を入力・表示出力兼用メモリ１０２の全面に書き込むように制御した例を示した図である。この場合には、表示タイミング制御部１０５は、ポスト処理を施されてメモリに書き戻された画像データの画像が表示されるように制御する。
【００４５】
又、図５（Ｃ）は、ポスト処理出力制御部４０１が、ポスト処理画像の一部だけを入力・表示出力兼用メモリ１０２上に上書きして合成するように制御した例を示した図であり、左側はプレビュー画像５０３、右側はポストビュー画像５０４として表示されている。この場合には、表示タイミング制御部１０５は、表示出力待ちの画像データの画像とメモリに書き戻された画像データの画像とが同時に見られるようにタイミングを制御する。
【００４６】
又、図５（Ｄ）は、ポスト処理出力制御部４０１が、ポスト処理したポストビュー画像を縮小して入力・表示出力兼用メモリ１０２上に書き込むように制御した例を示した図であり、プレビュー画像５０５上に縮小したポストビュー画像５０６が表示されている。
【００４７】
このように、選択された画像又は合成出力された画像は、表示出力制御部１０３を介して表示デバイス１０４へ出力される。
【００４８】
又、本発明の実施の形態２によれば、プレビュー画像とポストビュー画像とを比較できるように構成することもできる。従って、撮影中に画質に関する設定を変更できるような手段を加える構成にしてもよい。
【００４９】
次に、画像表示装置４００における画像表示方法について、図６を用いて説明する。図６は、画像表示方法を示すフロー図である。
【００５０】
なお、図６のステップＳＴ６０１〜６０３及びＳＴ６０５〜６０７は、それぞれ図３のステップＳＴ３０１〜３０３、ＳＴ３０４〜３０６と同じなので、それぞれの説明を省略する。
【００５１】
図６において、符号化処理が完了すると（ステップＳＴ６０３）、ポスト処理の書き込み方法を判断し（ステップＳＴ６０４）、ステップＳＴ６０４の判断結果に従いポスト処理を行う（ステップＳＴ６０５）。ステップＳＴ６０４の判断結果が、ポスト処理結果を入力・表示出力兼用メモリ１０２に格納しない場合は、図５（Ａ）に示すように、プレビュー画像のみを表示する。又、図５（Ｂ）に示すように、ポストビュー画像のみを表示する場合には、ポスト処理結果を入力・表示出力兼用メモリ１０２にそのまま書き込む。また、ステップＳＴ６０４の判断結果に基づき、図５（Ｃ）に示すように、ポスト処理結果の一部だけを入力・表示出力兼用メモリ１０２へ書き戻したり、図５（Ｄ）に示すように全体を縮小して子画面として合成する。
【００５２】
また、本実施の形態２では、符号化のタイミングは、入力デバイス１００から画像取り込みが完了されるたびに行うことを前提としたが、必要に応じて処理をスキップしてフレームレートを落として処理するように構成しも良い。この場合は、プレビュー画像は、入力デバイス１００から取り込まれるレートのまま表示され、ポストビュー画像は、実際の符号化処理のレートで表示することもできる。更に、両者を合成させて表示し、符号化のフレームレートの低下をリアルタイムでユーザが確認するような制御も可能である。
【００５３】
このように、本発明の実施の形態２によれば、上記実施の形態１の効果に加えて、ポストビュー画像の表示とプレビュー画像の表示の切り替えを行ったり、プレビュー画像上にポストビュー表示画像の一部または全部を縮小して合成し、表示を行うことができる。また、同一フレームに合成されるプレビュー画像とポストビュー画像は、同一時刻の画像であることが保証され、同時に両者を比較することも可能である。
【００５４】
なお、上記実施の形態１または実施の形態２の画像表示装置は、通信装置に適用することができる。
【産業上の利用可能性】
【００５５】
本発明は、例えば、デジタルビデオカメラや動画撮影可能なカメラつき携帯端末装置に用いて好適である。
【図面の簡単な説明】
【００５６】
【図１】本発明の実施の形態１に係る画像表示装置の構成を示すブロック図
【図２】本発明の実施の形態１に係る画像表示装置の動作を示す説明図
【図３】本発明の実施の形態１に係る画像表示方法を示すフロー図
【図４】本発明の実施の形態２に係る画像表示装置の構成を示すブロック図
【図５】本発明の実施の形態２に係るポストビュー画像の出力状態を示す図
【図６】本発明の実施の形態２に係る画像表示方法を示すフロー図
【図７】従来の技術の構成を示すブロック図
【符号の説明】
【００５７】
１００  入力デバイス
１０１  入力制御部
１０２  入力・表示出力兼用メモリ
１０３  表示出力制御部
１０４  表示デバイス
１０５  表示タイミング制御部
１０６  符号化タイミング制御部
１０７  符号化制御部
１０８  記録媒体
１０９  符号化用メモリ
１１０  ポスト処理制御部
１１１  画像表示装置
【図１】
2006140565.tif 000003
【図２】
2006140565.tif 000004
【図３】
2006140565.tif 000005
【図４】
2006140565.tif 000006
【図５】
2006140565.tif 000007
【図６】
2006140565.tif 000008
【図７】
2006140565.tif 000009